(57)【特許請求の範囲】
【請求項１】
１本の線材を曲げ成形した上フレームは連結片の両側に概略半円弧状のリム片を有し、リム片の外側にヨロイ片を、そしてヨロイ片から後方へツル片を延ばした形状とし、同じく１本の線材を曲げ成形した下フレームは連結片の両側に概略半円弧状のリム片を有し、リム片の外側にヨロイ片を、そしてヨロイ片から後方へツル片を延ばした形状とし、上フレームと下フレームを組み合わせて重ね合わされた連結片にブリッジ嵌着材を嵌め、ヨロイ片にはヨロイ嵌着材を嵌めて止め付けし、ヨロイ嵌着材から後方へ延びるツル片先端部にはモダンを取り付けし、上下リム片にて形成されるリムにはレンズを嵌めたことを特徴とするメガネ。
【請求項２】
１本の線材を曲げ成形した上フレームは連結片の両側に概略半円弧状のリム片を有し、リム片の外側にヨロイ片を形成した形状とし、同じく１本の線材を曲げ成形した下フレームは連結片の両側に概略半円弧状のリム片を有し、リム片の外側にヨロイ片を設けた形状とし、上フレームと下フレームを組み合わせて重ね合わされた連結片にブリッジ嵌着材を嵌め、ヨロイ片にはヨロイ嵌着材を嵌めて止め付けし、該ヨロイ嵌着材には屈曲可能に連結した継手部を取り付け、この継手部にはツルを取着し、上下リム片にて形成されるリムにはレンズを嵌めたことを特徴とするメガネ。
【請求項３】
２本の超弾性線材を抱き合わせて中央にはブリッジ嵌着材を嵌めてブリッジ部を形成し、ブリッジ部の両側にはレンズを配置すると共に線材をレンズ外周になじませた形状とし、レンズ外側に概略Ｌ型を成したヨロイ嵌着材を取り付けてヨロイ部を形成し、該ヨロイ部から後方へツルを延ばして先端部にはモダンを取り付けしたことを特徴とするメガネ。
【請求項４】
２本の超弾性線材を抱き合わせて中央にはブリッジ嵌着材を嵌めてブリッジ部を形成し、ブリッジ部の両側にはレンズを配置すると共に線材をレンズ外周になじませた形状とし、レンズ外側に概略Ｌ型を成したヨロイ嵌着材を取り付けてヨロイ部を形成し、該ヨロイ嵌着材には屈曲可能に連結した継手部を取り付け、この継手部にはツルを取着したことを特徴とするメガネ。
【請求項５】
上記ブリッジ嵌着材に鼻当てパット部を形成した請求項１、請求項２、請求項３、又は請求項４記載のメガネ。
【発明の詳細な説明】
【０００１】
【発明の属する技術分野】
本発明は両リムを連結するブリッジ及びリム外側に取り付けるヨロイを独立部品として使用しないで、連続した線材にて構成するメガネに関するものである。
【０００２】
【従来の技術】
図５従来の一般的なメガネフレームを表しているが、メガネフレームは両リム(イ) 、(イ) をブリッジ(ロ) にて連結し、リム(イ) の外側にはヨロイ(ハ) をロウ付けし、そして該ヨロイ(ハ) にはツル（ニ)が折り畳み出来るように蝶番(ホ) を介して取り付けされている。又リム内側であってブリッジ下方には鼻当てパット(ヘ) が取り付けされている。
【０００３】
ところで、このようなメガネフレームを製作するには、レンズが嵌るような溝を形成した線材を丸めてリムを成形し、両リム(イ) 、(イ) を対称になるようにブリッジ(ロ) によって連結し、同じく所定の位置にヨロイをロウ付けしなくてはならない。このような従来方法では、個々の部品の製作はもとより、ロウ付けに伴う部品の位置決め並びにロウ付け作業が必要となり、１枚のメガネフレームを製作するには多くの工程を要している。
【０００４】
【本発明が解決しようとする課題】
このように、メガネフレームを製作するには部品の加工並びに組み立て作業等、見掛け以上の工程がかかり、それに付属的な装飾用の２次加工を行うことでコスト的にも高いメガネフレームとなってしまう。本発明が解決しようとする課題はこの問題点であり、製作が非常に簡単で安く、又軽いメガネを提供する。
【０００５】
【課題を解決するための手段】
本発明のメガネは連続した２本の線材でもって構成したメガネフレームを使用し、このメガネフレームのリムにレンズを嵌めたものである。それぞれの線材は上半分の上フレームと下半分の下フレームにて構成し、ブリッジ部とヨロイ部に繋ぎを取り付けして上下線材が分離しないようにし、上下の半円弧線材にて形成したリムにはレンズが嵌められる。
【０００６】
線材はフロント部からツルまで連続した１本の線材で構成する場合、又はツルが折り畳み出来るようにフロント部から分離することも出来るが、この場合にはヨロイ部の繋ぎに蝶番等の屈曲機構を備える。繋ぎに連結されるツルは１本で構成することも出来る。一方、メガネフレームを構成する線材の材質は限定しないが、例えば超弾性材を使用するならば、前以て成形することなく２本のストレート線材を使用して各部品及びレンズを組み合わせながら所定のメガネを製作することも出来る。すなわち２本の線材を抱き合わせてブリッジ嵌着材を嵌めてブリッジ部を形成し、両側にはレンズを配置して両線材をレンズ外周に沿ってなじませ、そしてレンズの外側にはヨロイ嵌着材を嵌める。両線材がさらに長く延びる場合にはツルも連続して形成し、先端部にはモダンを取り付けてメガネと成る。
【０００７】
【発明の実施の形態】
本発明のメガネはリム、ブリッジ、ヨロイ、それにツルといった各部品を用いないで連続した線材を曲げ成形し、互いに抱き合わせて製作するメガネである。形態としてはフロント部とツルを別の線材にて構成する場合、又フロント部とツルを連続した線材で構成する場合がある。そして、この場合、線材を前以て所定の形状に成形した上でブリッジ嵌着材、ヨロイ嵌着材を嵌めてフロントフレームとし、該ヨロイからはツルを連結して延ばすことが出来る。
【０００８】
一方ヨロイ嵌着材に継手機能を備えることが出来、この場合にはツルを別の線材で構成して該ヨロイ嵌着材の継手部に取り付けする。一方、超弾性線材を使用する場合にはブリッジ嵌着材、レンズ、ヨロイ嵌着材を嵌めることで所定のメガネ形状に形成する。ここでブリッジ嵌着材及びヨロイ嵌着材の形態は特に限定せず、勿論、樹脂製であっても金属製であってもよいが、２本の線材を嵌めて所定の形状に成るように構成している。従って線材が嵌る溝を有し、該溝から線材が外れない形態としている。以下、本発明に係る実施例を図面に基づいて詳細に説明する。
【０００９】
【実施例】
図１は本発明のメガネフレームを表している実施例である。このメガネフレームは同図に示すように上フレーム１と下フレーム２とを組み合わせて構成され、レンズを嵌めるリム３、３、両リム３、３の間のブリッジ部４、リム外側に設けられるヨロイ部５、それにヨロイ部５から後方へ延びているツル６を有している。従って、構造は従来のフレームと全く異なるが、基本的な形態は同じであり、リムにレンズを嵌めて顔に掛けることが出来る。
【００１０】
図２はメガネフレームに成る前の上フレーム１と下フレーム２を対にして表している場合であり、上フレーム１及び下フレーム２は山形連結片７、８を中央に形成し、この連結片７、８の両側には半円形のリム片９ａ、９ｂ、１０ａ、１０ｂを形成し、リム片９、１０の外側にはＬ型をしたヨロイ片１１ａ、１１ｂ、１２ａ、１２ｂを有し、そしてヨロイ片１１、１２はそのまま後方へ延びてツル片１３、１４を形成している。
【００１１】
このように上フレーム１と下フレーム２とでメガネフレームを構成している訳であり、上下フレーム１、２を組み合わす為にブリッジ嵌着材１５、ヨロイ嵌着材１６ａ、１６ｂを使用し、ブリッジ嵌着材１５は図２のように重なり合った山形連結片７、８に嵌められ、同じくヨロイ嵌着材１６を重ね合わせたヨロイ片１１、１２に嵌め、さらにはツル片１３、１４の先端にモダン１７を嵌めることでメガネフレームが出来上がる。
【００１２】
上下リム片９、１０にて構成されるリム３にはレンズが嵌められることになるが、レンズを嵌める時にはヨロイ嵌着材１６又はブリッジ嵌着材１５を外して行われる。図３はヨロイ嵌着材１６をヨロイ片１１、１２に嵌める段階を表している拡大図であり、ヨロイ片１１、１２の線材が嵌る穴１８ａ、１８ｂが湾曲して形成されている。この穴１８ａ、１８ｂに嵌って位置決めがなされると共に、後方へツル６を延ばしている。
【００１３】
ところで、同図に示すメガネフレームはツル６がフロントフレームと一体化して折り畳むことが出来ない形態と成っているが、ヨロイ嵌着材１６に継手部を設け、該継手部を介して別部材から成るツルを取り付けすることも出来る。図４は継手部１９をヨロイ嵌着材１６に連結した場合であり、継手部１９は軸ネジ２０を介して屈曲可能に連結し、継手部１９に形成している穴にツル６が嵌入してネジ止めされている。継手部１９の連結手段は従来から使用されている蝶番を取り付けすることも出来る。
【００１４】
本発明のメガネではフレームを所定の形状に成形された上フレーム１と下フレーム２を組み合わせて構成しているが、上記上下フレーム１、２を前以て成形することなく１本のストレート線材を使用し、ブリッジ嵌着材１５を嵌め、レンズ、及びヨロイ嵌着材１６を取り付けしながら曲げ加工してメガネを作り上げることが出来る。この場合、上下フレーム１、２となる線材は超弾性材が使用され、山形をしたブリッジ嵌着材１５に形成している溝に２本の線材をそれぞれ嵌めることでブリッジ部４が形成され、その両サイドにレンズを配置してレンズ外周に線材をなじませ、レンズ外側には上記ヨロイ嵌着材１６ａ、１６ｂを嵌めることが出来る。
【００１５】
２本のストレート線材はこのように所定形状に曲げられ、メガネのフロント部が作られる。そして、概略Ｌ型をしたヨロイ嵌着材によって曲げ成形されたツルは後方へ延びることになり、前記図１に示しているメガネが完成する。ここで、超弾性材の具体的材質は限定せず、超弾性材に準ずる材質を使用することも出来る。図１に示している本発明のメガネフレームでは鼻当てパットを有していないが、ブリッジ部４を構成するブリッジ嵌着材１５に鼻当てパットを一体化して形成することが出来、又は別部品で構成した鼻当てパットを取り付けしてもよい。以上述べたように、本発明のメガネは上フレームと下フレームを互いに組み合わせ、リムにはレンズを嵌めたものであり、次のような効果を得ることが出来る。
【００１６】
【発明の効果】
本発明のメガネは所定形状に成形された上フレームと下フレームをブリッジ嵌着材及びヨロイ嵌着材にて組み合わしてフレームを作り、このフレームにレンズを嵌めたものであり、従来のメガネフレームに比較して極めて簡単な構造となり、製作コストは非常に安くなる。各部品を組み立てる為のロウ付け工程はなく、ロウ付け出来ない材質であっても何ら問題なく使用出来る。そしてこのような構造である為に、メガネ外観は従来のものに比べてシンプル化し、重量的にも軽いメガネとなる。
【００１７】
さらに、超弾性線材を使用するならば、ストレート線材を用いてブリッジ嵌着材を取り付け、レンズを配置して外周になじませ、そしてヨロイ嵌着材を嵌めることでメガネを作ることが出来る。すなわちフレームの成形工程を全く必要としない手作りメガネが出来上がる。
【図面の簡単な説明】
【図１】本発明のメガネフレーム。
【図２】所定形状に成形した上フレームと下フレーム、ブリッジ嵌着材、ヨロイ嵌着材、それにモダンを示している。
【図３】ヨロイ片にヨロイ嵌着材を嵌める段階の拡大図。
【図４】ヨロイ嵌着材に継手部を連結している場合。
【図５】一般的なメガネフレーム。
【符号の説明】
１  上フレーム
２  下フレーム
３  リム
４  ブリッジ部
５  ヨロイ部
６  ツル
７  山形連結片
８  山形連結片
９  リム片
10  リム片
11  ヨロイ片
12  ヨロイ片
13  ツル片
14  ツル片
15  ブリッジ嵌着材
16  ヨロイ嵌着材
17  モダン
18  穴
19  継手部
20  軸ネジ
【図１】
0003976880.tif 000002
【図２】
0003976880.tif 000003
【図３】
0003976880.tif 000004
【図４】
0003976880.tif 000005
【図５】
0003976880.tif 000006